(57)【特許請求の範囲】
【請求項１】
入力された交流を直流に変換して直流を出力するコンバータ、前記コンバータの直流出力を平滑する平滑コンデンサ、及び前記平滑コンデンサによって平滑された直流を入力し当該直流を交流に変換して交流を出力するインバータをそれぞれ有し、それぞれ並列運転されその出力交流電力が原子炉トリップ遮断器を経由して制御棒駆動装置に供給されそれぞれ負荷を均等に分担しそれぞれ電圧低下補償用のチョッパ回路が付帯的に常設されている第１および第２の無停電電源装置を備え、前記平滑された直流によって充電され前記入力された交流が停電すると前記第１および第２の無停電電源装置の各々の前記インバータの入力に直流電力を供給する停電時給電用のコンデンサであるＥＤＬＣが設けられていると共に、前記第１および第２の無停電電源装置が共通の盤に内蔵され、前記第１および第２の無停電電源装置に空調設備が共用化されていることを特徴とする原子炉制御棒駆動装置用無停電電源装置。 
【発明の詳細な説明】
【技術分野】
【０００１】
この発明は、原子力発電の原子炉における制御棒駆動装置の電源として適用する原子炉制御棒駆動装置用無停電電源装置に関するものである。
【背景技術】
【０００２】
従来の原子力発電で運用されている原子炉制御棒駆動装置の電源装置においては、電動機と発電機とを組合せて電動機により駆動される発電機の出力で電源を供給しており、その改良版として電動機と発電機との組合せに代えて、コンバータとインバータと蓄電池とで構成された無停電電源装置を適用して当該無停電電源装置から原子炉制御棒駆動装置に電源を供給する構成も出願されている。（特許文献１参照）
【先行技術文献】
【特許文献】
【０００３】
【特許文献１】特開２００３−５０２９０号公報
【発明の概要】
【発明が解決しようとする課題】
【０００４】
特許文献１では原子炉制御棒駆動装置用の無停電電源装置は１台であるが、図３に例示のように、必要容量の無停電電源装置２台で構成することが必要である。
一方、通常の一般的な蓄電池は水素ガスを発生する、蓄電池容量が火災予防条例（蓄電池設備（定格容量と電槽数の積の合計が4800Ah未満のものを除く。）の電槽は、遮光措置を講じ、温度変化が急激でないところで、かつ、耐酸性の床上又は台上に、転倒しないように設けなければならない。）での規制対象となり、設置環境が厳しく制限され、既設原子力プラントにコンバータとインバータと蓄電池とで構成された無停電電源装置を原子炉制御棒駆動装置用の電源として適用する場合は外気との直接換気は難しく、コンバータとインバータと蓄電池とで構成された無停電電源装置を原子炉制御棒駆動装置用の電源として適用するに当たっての障壁となり、その対策として、温度が急変しないように空調設備を別途設ける必要が生じる等の問題が生じ、また、コンバータとインバータと蓄電池とで構成された無停電電源装置を２台設置した場合は当該問題点も増大する等の更なる問題が生じる。
【０００５】
この発明は、前述のような実情に鑑みてなされたもので、火災予防条例の対象外とすることが可能な原子炉制御棒駆動装置用無停電電源装置を提供することを目的とするものである。
【課題を解決するための手段】
【０００６】
この発明に係る原子炉制御棒駆動装置用無停電電源装置は、入力された交流を直流に変換して直流を出力するコンバータ、前記コンバータの直流出力を平滑する平滑コンデンサ、及び前記平滑コンデンサによって平滑された直流を入力し当該直流を交流に変換して交流を出力するインバータをそれぞれ有し、それぞれ並列運転されその出力交流電力が原子炉トリップ遮断器を経由して制御棒駆動装置に供給されそれぞれ負荷を均等に分担しそれぞれ電圧低下補償用のチョッパ回路が付帯的に常設されている第１および第２の無停電電源装置を備え、前記平滑された直流によって充電され前記入力された交流が停電すると前記第１および第２の無停電電源装置の各々の前記インバータの入力に直流電力を供給する停電時給電用のコンデンサであるＥＤＬＣが設けられていると共に、前記第１および第２の無停電電源装置が共通の盤に内蔵され、前記第１および第２の無停電電源装置に空調設備が共用化されているものである。 
【発明の効果】
【０００７】
この発明は、入力された交流を直流に変換して直流を出力するコンバータ、前記コンバータの直流出力を平滑する平滑コンデンサ、及び前記平滑コンデンサによって平滑された直流を入力し当該直流を交流に変換して交流を出力するインバータをそれぞれ有し、それぞれ並列運転されその出力交流電力が原子炉トリップ遮断器を経由して制御棒駆動装置に供給されそれぞれ負荷を均等に分担しそれぞれ電圧低下補償用のチョッパ回路が付帯的に常設されている第１および第２の無停電電源装置を備え、前記平滑された直流によって充電され前記入力された交流が停電すると前記第１および第２の無停電電源装置の各々の前記インバータの入力に直流電力を供給する停電時給電用のコンデンサであるＥＤＬＣが設けられていると共に、前記第１および第２の無停電電源装置が共通の盤に内蔵され、前記第１および第２の無停電電源装置に空調設備が共用化されているので、原子炉制御棒駆動装置用として要求される高信頼性を維持する原子炉制御棒駆動装置用無停電電源装置であって、火災予防条例の対象外とすることが可能な原子炉制御棒駆動装置用無停電電源装置を提供する効果がある。
【図面の簡単な説明】
【０００８】
【図１】この発明の実施の形態１を示す図で、原子炉制御棒駆動装置用無停電電源装置の原子炉制御棒駆動装置との接続関係も含めて例示するシステム構成図である。
【図２】この発明の実施の形態２を示す図で、原子炉制御棒駆動装置用無停電電源装置の原子炉制御棒駆動装置との接続関係も含めて例示するシステム構成図である。
【図３】この発明に至る前の原子炉制御棒駆動装置用無停電電源装置の原子炉制御棒駆動装置との接続関係も含めて例示するシステム構成図である。
【発明を実施するための形態】
【０００９】
実施の形態１．
以下、この発明の実施の形態１を図１に基づいて説明する。
図１において、第１および第２の無停電電源装置１Ａ，１Ｂは、何れも交流を直流に変換するコンバータ１１、直流を交流に変換するインバータ１２、瞬低が発生した時に電力を供給するための二層タイプの停電時給電用のコンデンサである通称ＥＤＬＣ（Electric
Double Layer Capacitor）１３、および直流電圧を平滑するための平滑コンデンサ１４
で構成されている。
【００１０】
第１および第２の無停電電源装置１Ａ，１Ｂは並列運転され、その出力交流電力は、周知のように原子炉トリップ遮断器２を経由して制御棒駆動装置３に供給される。並列運転される第１および第２の無停電電源装置１Ａ，１Ｂはそれぞれ必要な負荷容量を２分の１ずつ分担することになる。
【００１１】
蓄電池の代替品として、ＥＤＬＣを使用することにより、水素ガスが発生しなくなり火災予防条例の規制対象から外れるため、図１の電源構成で使用可能。
また、ＥＤＬＣの特徴として、内部抵抗が低く短時間で充放電が可能であり、蓄電効率が著しく高く、コンバータ１１およびインバータ１２と組み合わせることによって原子炉制御棒駆動装置用無停電電源装置を構成した場合、瞬低が発生した時にも電力を原子炉制御棒駆動装置に継続的に供給する原子炉制御棒駆動装置用無停電電源装置として好適である。
【００１２】
なお、ＥＤＬＣを使用することで、出力密度が高く大電流充放電が可能になるが、蓄電池に比べて蓄電圧が低く、補償時間が短いが、コンバータとインバータとで構成される無停電電源装置には電圧低下補償用のチョッパ回路（図示省略）が付帯的に常設されているので、放電時電圧低下にも対応でき、これにより制御棒駆動電源に対する瞬時停電要求である１秒にも充分対応可能である。また、ＥＤＬＣ充放電回路、電圧低下補償用のチョッパ回路の何れも、従来の蓄電池を使用したバッテリー方式の無停電電源装置のものを、そのまま使用可能である。
【００１３】
実施の形態２．
前述の実施の形態１では第１および第２の無停電電源装置１Ａ，１Ｂの各々に個別に１台のＥＤＬＣを接続した場合を例示したが、ＥＤＬＣは、蓄電池と比較するとコストが上がると考えられることから、本実施の形態２では、図２に例示のように、１台のＥＤＬＣを第１および第２の無停電電源装置１Ａ，１Ｂに共用するように接続すれば廉価になり、さらに、図２に例示のように、第１および第２の無停電電源装置１Ａ，１Ｂを個別に盤内に内蔵せずに１個の盤、即ち共通の盤（無停電電源盤）４に第１および第２の無停電電源装置１Ａ，１Ｂを内蔵すれば、盤面数が減ることに加えて、第１および第２の無停電電源
装置１Ａ，１Ｂに空調設備も共用化できるので、据付面積が小さくなり、低コスト化も図れる。
【００１４】
なお、本発明は、その発明の範囲内において、各実施の形態を適宜、変形、省略することができる。
なお、各図中、同一符合は同一または相当部分を示す。
【符号の説明】
【００１５】
１Ａ    第１の無停電電源装置、
１Ｂ    第２の無停電電源装置、
１１    コンバータ、
１２    インバータ、
１３    ＥＤＬＣ、
１４    平滑コンデンサ、
２    原子炉トリップ遮断器、
３    制御棒駆動装置、
４    盤（無停電電源盤）。
【図１】
0005755181.tif 000002
【図２】
0005755181.tif 000003
【図３】
0005755181.tif 000004